(57)【要約】 【課題】  可動把手を木口から突出させ、かつ、該可動把手を持って引戸を閉じる際、不注意により手指を戸枠や戸袋に挟めないようにすること。【解決手段】  引戸に可動把手を有するホルダーを組み込むことが可能なハンドル装置に於いて、前記ホルダーは引戸の木口に組み込むことができるようにケース状に形成され、また、前記可動把手はホルダーに出没自在に軸支され、さらに、前記ホルダー内に上下方向に摺動自在に設けられ、かつ、前記可動把手の係合部と係脱すると共に、戸枠の横枠の安全用案内部と係脱可能な安全用ロッドを備えた係合スライダーが配設されていることを特徴とするハンドル装置。【選択図】  図３
2006299691.tif 000002
【特許請求の範囲】
【請求項１】
引戸に可動把手を有するホルダーを組み込むことが可能なハンドル装置に於いて、前記ホルダーは引戸の木口に組み込むことができるようにケース状に形成され、また、前記可動把手はホルダーに出没自在に軸支され、さらに、前記ホルダー内に上下方向に摺動自在に設けられ、かつ、前記可動把手の係合部と係脱すると共に、戸枠の横枠の安全用案内部と係脱可能な安全用ロッドを備えた係合スライダーが配設されていることを特徴とするハンドル装置。
【請求項２】
請求項１に於いて、可動把手は、縦断面親指と人差し指を開いた格好の形状に形成され、前記親指側には、可動把手が「待機姿勢位置」にある時には係合スライダーの被係合部と係合する係合部分と、係止手段の係止部と係合する被係合部がそれぞれ形成されていることを特徴とするハンドル装置。
【請求項３】
請求項１又は請求項２に於いて、これらの請求項のいずれかに記載のハンドル装置をそのまま含み、引戸の一壁側の引手は、該引戸が完全に開いている時、所定位置に並存する戸体により塞がれていることを特徴とする建具。
【請求項４】
引戸に可動把手を有するホルダーを組み込むことが可能なハンドル装置に於いて、前記ホルダーは引戸の木口に組み込むことができるようにケース状に形成され、また、前記可動把手はホルダーに出没自在に軸支され、また、前記ホルダー内に上下方向に摺動自在に設けられ、かつ、前記可動把手の係合部と係脱すると共に、戸枠の横枠の安全用案内部と係脱可能な安全用ロッドを備えた係合スライダーが配設され、さらに、係合スライダーは、前記安全用ロッドの外端部が横枠に設けた横方向の安全用案内部に係合し得る方向へ安全用バネ介して常時付勢され、引戸の開戸時、操作部材を操作すると、係止手段の係止が解除され、可動把手は付勢手段のバネ力により支軸を支点に使用姿勢位置まで傾倒回転に伴って、該可動把手が係合スライダーから離脱し得ることを特徴とするハンドル装置。
【請求項５】
請求項４に於いて、ハンドル装置をそのまま含み、引戸の一壁側の引手は、該引戸が完全に開いている時、所定位置に並存する戸体により塞がれていることを特徴とする建具。
【発明の詳細な説明】
【技術分野】
【０００１】
本発明は、引戸に可動把手を有するホルダーを組み込むことが可能なハンドル装置に於いて、引戸を閉じる際に戸枠や戸袋に手指を挟めないハンドル装置及び建具に関する。
【背景技術】
【０００２】
特許文献１には、特許文献２の問題点を解消するために、前後一対のシェル体どうしを接合して構成されるホルダーと、両シェル体の接合面の間に配置される把手および弾性体とを含み、把手はホルダーに設けた軸で揺動可能に軸支され、全体がホルダーの格納部内に収まる待機姿勢と、そのグリップが格納部から斜めに突出する使用姿勢とに変位でき、弾性体は待機姿勢と使用姿勢とのそれぞれにおいて把手と接当して、把手が軸まわりに揺動するのを規制する引戸のハンドル装置」が記載されている。
【０００３】
上記の従来技術は、引戸の木口にホルダーを介して設けられた把手の縦長状グリップの外壁面の一端部を指で押し込み（第１実施例）、又は把手の一端部に係止した指掛け部分に指をかけて外側に引くと（第２実施例）、把手が支軸まわりに傾倒回転するので、該把手を仮の引手として利用し、引戸を戸袋から引き出すことができる。
【０００４】
このハンドル装置は、もちろん、シェル体が凹所状の指掛け部（引手機能）を有することから、引戸を戸袋へ収納する際の引手として使用することも可能である。したがって、該ハンドル装置は、一つのハンドルユニットが、戸袋から引戸を引き出す把手機能と、開戸時に引戸を戸袋へ収納する引手機能の両方を有する優れ物である。
【０００５】
しかしながら、従来技術は、（ａ）発明の目的に関して、引戸の木口から突出する可動把手を持って引戸を閉じる際に戸枠や戸袋に手指を挟めないようにするものではない。（ｂ）したがって、引戸の可動把手を持って閉じている最中に、当該可動把手を引戸本来の凹所引手に持ち替えさせるものではない。（ｃ）発明の構成に関して、当然、前記ａ，ｂの目的を達成するための具体的構成が開示されていない。（ｄ）さらに、引戸式建具そのものが、引戸の壁面の凹所引手を塞ぐように所定位置に並存する戸体と備えた引戸式建具を前提とするものではない。そのために、引戸に対するハンドル装置の取付け位置が通常の取付け位置に限定される。（ｅ）また、特許文献１には、「例えば押しボタン式操作手段を操作して把手を引戸の木口から自動的に突出させる構成」が開示されていない。
【０００６】
一方、特許文献３には、引戸を閉じる際に戸袋の端面に手指を挟まないように、「引戸の一側壁に設けた凹所状のケーシングに回転自在な引手を設け、引戸の閉戸時、引戸をその引手を収納方向に付勢するバネのバネ力に抗して引戸の一側壁（例えば室内側の引戸面）から回転突出させる安全機構付き引手の構造」が記載されている。
【０００７】
しかしながら、特許文献３に記載の「手指を挟まない安全機構」は、引戸の一側壁の凹所引手そのものに小型の可動引手を収納及び突出可能に設けていることから、前述した（ｄ）の所定位置に並存する戸体する引戸には適用することができない。また、特許文献３の引手の構造は、現に引戸を閉鎖中に使用している小型可動引手の閉じ側を戸袋の端面に直接衝突させて手指の防御を図るものであることから、小型可動引手が破損し易いという問題点がある。
【特許文献１】特開２００３−４１８１２号公報
【特許文献２】実公平６−４９７７６号公報
【特許文献３】特許公開２００４−１５０１５３号公報
【発明の開示】
【発明が解決しようとする課題】
【０００８】
本発明の第１の目的は、可動把手を木口から突出させ、かつ、該可動把手を持って引戸を閉じる際、不注意により手指を戸枠や戸袋に挟めないようにするハンドル装置及び建具を提案することである。第２の目的は、可動把手を持って引戸を閉鎖中に、簡単或いは合理的構成より、引戸を所定位置（手指を挟めない範囲内に存する戸枠、例えばかもいの係止面）に停止させ得ることである。第３の目的は、例えば引戸の壁面の凹所引手を塞ぐように所定位置に並存する戸体と備えた引戸式建具に適合することである。その他の目的は、例えば引戸の完全な開戸時、引戸の木口から可動把手をワンタッチ方式により自動的に突出させ得ること、引戸に対するハンドル装置の取り付け位置が通常の取り付け位置に限定されないこと、把手を収納位置へ戻した時、把手を自動的に係止することができると共に、該係止手段の耐久性の向上を図ることである。
【課題を解決するための手段】
【０００９】
本発明のハンドル装置は、引戸に可動把手を有するホルダーを組み込むことが可能なハンドル装置に於いて、前記ホルダーは引戸の木口に組み込むことができるようにケース状に形成され、また、前記可動把手はホルダーに出没自在に軸支され、さらに、前記ホルダー内に上下方向に摺動自在に設けられ、かつ、前記可動把手の係合部と係脱すると共に、戸枠の横枠の安全用案内部と係脱可能な安全用ロッドを備えた係合スライダーが配設されていることを特徴とする。
【００１０】
また、本発明のハンドル装置は、引戸に可動把手を有するホルダーを組み込むことが可能なハンドル装置に於いて、前記ホルダーは引戸の木口に組み込むことができるようにケース状に形成され、また、前記可動把手はホルダーに出没自在に軸支され、また、前記ホルダー内に上下方向に摺動自在に設けられ、かつ、前記可動把手の係合部と係脱すると共に、戸枠の横枠の安全用案内部と係脱可能な安全用ロッドを備えた係合スライダーが配設され、さらに、係合スライダーは、前記安全用ロッドの外端部が横枠に設けた横方向の安全用案内部に係合し得る方向へ安全用バネ介して常時付勢され、引戸の開戸時、操作部材を操作すると、係止手段の係止が解除され、可動把手は付勢手段のバネ力により支軸を支点に使用姿勢位置まで傾倒回転に伴って、該可動把手が係合スライダーから離脱し得ることを特徴とする。
【００１１】
さらに、本発明の建具は、前段のハンドル装置又は後段のハンドル装置の構成をそのまま含み、引戸の一壁側の引手は、該引戸が完全に開いている時、所定位置に並存する戸体により塞がれていることを特徴とする。
【００１２】
ここで、「戸枠の横枠」とは、少なくとも当業者に「かもい」又は「敷居」と称されている部分をいう。また、安全用ロッド、安全用バネ及び安全用案内部は、発明の主たる目的との関係で用いた用語である。したがって、安全用ロッド、安全用バネ及び安全用案内部は、手指を挟めないための構成要件である。
【発明の効果】
【００１３】
（１）可動把手を木口から突出させ、かつ、該可動把手を持って引戸を閉じる際、不注意により手指を戸枠や戸袋に挟めないようにすることができる。
（２）手指を挟めないための構成要件は、ホルダー内に上下方向に摺動自在に設けられ、かつ、可動把手の係合部と係脱すると共に、戸枠の横枠の安全用案内部と係脱する安全用ロッドを備えた係合スライダーなので、簡単或いは合理的構成より、可動把手を持って引戸を閉鎖中に、引戸を所定位置（手指を挟めない範囲内−ここでは「安全用案内部の係止部分」とする。）に停止させることができる。
（３）引戸の壁面の凹所引手を塞ぐように所定位置に並存する戸体と備えた引戸式建具に適合する。
（４）引戸の完全な開戸時、係止手段解除用の押しボタン式操作部材をワンタッチ操作（単にプッシュ）すると、引戸の木口から可動把手が自動的に傾倒回転して突出する。したがって、可動把手のグリップを持って引戸を引手の利用可能な位置まで引き出すことができる。
（５）その他、引戸に対するハンドル装置の取り付け位置が通常の取り付け位置に限定されない、把手を収納位置へ戻した時、把手を自動的に係止することができる、係止手段の耐久性の向上を図ることができる、ユニット化されているので、簡単に引戸に取付けることができる等の優れた効果もある。
【発明を実施するための最良の形態】
【００１４】
以下、図１乃至図１０に示す本発明を実施するための最良の形態（第１実施例）により説明する。
【００１５】
（１）図１…発明の環境図
図１は、引戸式建具Ｘに適用した発明の実施の環境を示すハンドル装置Ｙの環境図である。この環境図に於いて、１，１ａは左右の戸枠（縦枠、戸柱）、２は内側引戸、３は外側引戸、４は戸体（例えば網戸やシャッター）、５は外側引戸の室内７側の凹所引手、一方、６は外側引戸の室外８側の凹所引手、９は建具Ｘの開口部である。
【００１６】
したがって、本発明のハンドル装置Ｙ及び該ハンドル装置Ｙを備えた引戸式建具Ｘは、細部的な事項は別として、実施レベルでは、引戸の完全開戸時に、引戸、例えば互い違い引戸の場合には、外側引戸３の壁面内外の引手５，６を塞ぐように所定位置に戸体（例えば網戸）４や内側引戸２が並存する。本発明（ハンドル装置Ｙ及び建具Ｘ）は、引戸の完全開戸時に、少なくとも一つの引戸に対して戸体（例えば内側又は外側に位置する網戸）４が、引戸の凹所引手（実施例では、外側引戸３の外側引手６）を塞ぐ。以下、図２乃至図１０を参照にして本発明の第１実施例を説明するが、細部的な事項の符号や図面については省略する。
【００１７】
（２）図２の待機姿勢位置と図３の使用姿勢位置
まず、図２は、ハンドル装置Ｙの可動把手の待機姿勢位置、一方、図３は可動把手の使用姿勢位置を概略的に示している。また、図４は引戸の木口（戸枠に対する側端面）から見たハンドル装置Ｙの正面図である。その他図は、適当な概略断面説明図等である。
【００１８】
次に、図２乃至図１０に於いて、本発明のハンドル装置Ｙは、基本的には、引戸３の木口３ａに内装状態に装着されるホルダー１２と、ホルダー１２内に組み付けられる可動把手１３および単数又は複数個の係止片４２を含む係止手段１４とで構成する。そして、ホルダー１２には、係止手段１４の係止状態を解除するための操作部材１５を設ける（新規事項）。
【００１９】
さらに、ホルダー１２内には、可動把手１３と係合すると共に、安全用ロッド５２の内端部５２ｂを連結する係合スライダー５１を組込み、該係合スライダー５１は、前記安全用ロッド５２の外端部５２ｂが横枠１ｃに設けた横方向の安全用案内部１０に係合し得る方向へ安全用バネ５４介して常時付勢され、引戸３の開戸時、押しボタン式の操作部材１５を操作すると、係止手段１４の係止片４２の係止が解除され、可動把手１３は付勢手段１６のバネ力により支軸１７を支点に使用姿勢位置まで傾倒回転するのに伴って、該可動把手１３が係合スライダー５１から離脱する。
【００２０】
そして、前記可動把手１３は、望ましくは、縦断面親指３１と人差し指３２を開いた格好の形状に形成され、前記親指３１側には、可動把手１３が「待機姿勢位置」にある時、係合スライダー５１の断面横向き凹所或いは湾状の被係合部５３と係合する指先状係合部分３６及び係止手段１４の係止片４２と係合する段面段差状の被係合部３３がそれぞれ形成されている。
【００２１】
この基本的構成について、作用と共に付言すると、前記引戸３の木口３ａに縦長開口するケース状ホルダー１２を介して可動把手１３を出没自在に収納し、また、前記ホルダー１２には、可動把手用の係止バネ４３及び係止片４２を含む係止手段１４を軸支すると共に、該係止手段１４用の押しボタン式操作部材１５をその操作端１５ａが木口に露呈（見える）するように設ける。
【００２２】
しかして、本発明のハンドル装置Ｙは、建具Ｘが、例えば図１で示す一例を前提要件としている場合に於いて、同図で示すように、引戸３の外壁側の引手６は、該引戸３が完全に開いている時、所定位置に並存する戸体４により塞がれている。したがって、引戸３を戸体４の先端面（側端面）４ａから閉じる矢印Ａ方向へ引き出すのが容易でない。
【００２３】
そこで、図２で示すように、ホルダー１２に収納され、かつ、係止手段１４に係止されている可動把手１３を自動的に突出させるために、操作部材１５をプッシュする。
【００２４】
操作部材１５をプッシュすると、係止手段１４の係止片４２の係止が解除され、可動把手１３は単数又は複数の付勢手段１６のバネ力により、把手１３の支軸１７を支点に使用姿勢位置まで傾倒回転する（図３）。
【００２５】
この時、可動把手１３の傾倒回転に伴って、該可動把手１３の指先状係合部３６が係合スライダー５１の湾状被係合部５３から離脱する。そうすると、係合スライダー５１は安全用バネ５４のバネ力により、実施例では上昇し、安全用ロッド５２の外端部５２ｂが戸枠の横枠１ｃの安全用案内部１０に係合する。横枠の安全用案内部１０は、例えばサッシ型上横枠（或いは上方のかもい）に所要の長さで形成された横方向ガイド溝なので、該横方向ガイド溝１０に安全ロッドの外端部（実施例では上端部）５２ｂが係合する（図１０参照）。
【００２６】
そこで、可動把手１３のグリップ部分３２がホルダー１２或いは木口３ａから突出したならば、グリップ部分３２を持って引戸３を引手５，６の利用可能な位置まで引き出す。
【００２７】
このように、引戸３を戸体（例えば網戸）４の側端面４ａから所要量引き出し後は、引戸３本来の凹所引手５（６）を利用して引戸３を閉めることができる訳であるが、本発明の主たる目的は、可動把手１３を持って引戸３を閉じる際、不注意により手指を戸枠１や戸袋に挟めないようにすることである。ここで「不注意」とは、可動把手１３を引手代わりにそのまま握って引戸を閉めようとすることである。
【００２８】
そこで、可動把手１３を握って引戸３を閉めている者に対して危険（手指を挟める危険性）を知らせるために、建具Ｘの開口部９を閉じる前に、横方向ガイド溝１０に案内されている安全用ロッドの外端部（上端部）５２ｂが横方向ガイド溝１０の閉じ側の係止面１０ａに衝突する。つまり、当該引戸３は、閉鎖中、「安全用案内部１０の係止面１０ａに係止される」ことにより一時停止する。この一時停止に気がついた操作者は、その場で突出している可動把手１３のグリップ部分３２の先端側を押し込む。そうすると、可動把手１３は、付勢手段１６のバネ力に抗して支軸１７回りに揺動回転する。可動把手１３がホルダー１２の収納部側へと回転すると、その被係合部３３と係止手段１４の係止片４２の爪部４２ａとの係合関係により、可動把手１３は自動的に所定位置に係止される。と同時に、係合スライダーは可動把手１３の指先状係合部によって押し下げられるから、可動把手は「待機姿勢位置」となる（図２）。そこで、操作者は、引戸本来の引手を利用して停止中の当該引戸３を再び閉める。
【００２９】
ここでは、図２で示すように、可動把手１３が係止手段１４により自動係止され、かつ、可動把手１３の指先状係合部が係合スライダー５１の被係合部５３に係合した状態を「待機姿勢位置」とし、一方、図３で示すように、係止手段１４が操作手段１５の操作力を介して解除状態となり、その結果、可動把手１３が付勢手段１６のバネ力により支軸１７を支点に回転すると共に、前記指先状係合部３６が湾状被係合部５３から離脱して単数又は複数のストッパー１８，１９に傾倒状態に受け止められた状態を「使用姿勢位置」とする。
【００３０】
（３）ホルダー１２
ホルダー１２は、上下に長いケース状枠体からなり、フロント板及び取付け板で構成された前板２１を有している。前板２１の上下端部のフランジ部分には、固着具用のねじ孔２２がそれぞれ形成されている。したがって、ホルダー１２の前板２１は引戸３の木口３ａに対する締め付け座の機能を有する。
しかして、図４を基準にすると、２３は前板２１に縦長に形成された把手用開口、２４は把手用開口２３よりも下方に位置する操作手段１５用開口である。操作手段１５用開口２４は、本実施例では、下端部のねじ孔２２と把手用開口２３の間の適宜部位に形成されている。
【００３１】
また、ホルダー１２は、前板２１を基準として引戸３の内部に内装されたケース部分２５を有している。ケース部分２５は、図５で示すように二分割型である。特に符号を付さないが、プラスチック成形品としての二分割型のケースは、複数個の固着具を介して一体に接合する。この接合により、ケース部分２５内には可動把手１３用の収納部２６が形成される。
【００３２】
ケース部分２５は、特許文献１とは相違し、引戸本体の凹部引手を有していないが、設計如何によっては、ケース部分２５の側壁に手掛凹部を形成することも可能である。本実施例のケース部分２５の内部の右側上部には、補強用リブ２７が形成されている。また、本実施例では、必須要件ではないが、可動把手１３が「待機姿勢位置」となった時に所定位置に受け止めるボタン形状のストッパー１９が前板２１寄りの中央部に設けられている。
【００３３】
さらに、本実施例のケース部分２５は、操作手段１５用開口２４を有する下部側に、前板２１の内面から底壁２５ａと対向する所定長さの水平隔壁２９を有している。この水平隔壁２９の上面は、付勢手段１６の一端部を支持するバネ端支持機能を有し、また、ケース部分２５の奥側の側壁２５ｂと対向する水平隔壁２９の端面は、係止手段１４の係止片４２で押し戻される操作部材１５を所定位置に受け止めるストッパー機能を有している。
【００３４】
なお、ケース部分２５には、固着具用の螺合部分や軸孔が適宜に形成されている。また、前板２１の把手用開口２３の下端縁１８は傾倒回転する可動把手１３を支持する第２ストッパーの機能を有している。
【００３５】
（４）可動把手１３
可動把手１３は、本実施例では、縦断面親指３１と人差し指３２を開いた格好の形状に形成されている。しかして、例えば図８で示すように、前記親指３１側には、係止手段１４の係止片４２の係止爪部４２ａが係合可能な被係合部３３が形成され、一方、人差し指３２は引戸３を戸体４の先端面４ａから引手５（６）が利用可能な仮の位置まで引き出すためのグリップ部分である。
【００３６】
また、可動把手１３の親指の関節部分に相当する部位には、支軸１７用の軸孔３４が形成されていると共に、該軸孔３４を含む周囲に付勢手段１６収納用の下向き凹所３５が形成されている。付勢手段１６の他端部は、この下向き凹所３５の内壁面に圧接する。
【００３７】
さらに、可動把手１３の親指３１側には、該可動把手１３が「待機姿勢位置」にある時、係合スライダー５１の湾状被係合部５３と係合する指先状係合部分３６が形成されている。この係合部分３６は、図２を基準にすると、前述した断面段差状の被係合部３３により上方に位置し、かつ、該被係合部３３によりもホルダー１２の側壁２５ｂ側に突出している。そして、その下面側は湾曲面３６ａとなっている。
【００３８】
（５）係止手段１４
係止手段１４は、ケース部分２５の奥側の側壁２５ｂと水平隔壁２９の端面との間に縦方向に配設されている。しかして、本実施例の係止手段１４は、基端部が支軸４１に軸支された係止片４２と、この係止片４２の自由端部に形成された係止爪部４２ａが可動把手１３の被係合部３３と係合するように付勢する係止バネ４３とを含む。前記支軸４１は、操作部材１５の内端面と側壁２５ｂとの間（ケース部分２５の下部）に位置している。
【００３９】
また、前記係止バネ４３は、その中央部が支軸４１に巻装され、一端部はケース部分２５の内壁面に、一方、他端部は係止片４２の内壁面に適宜に圧接している。また、係止片４２は、その中央部の壁面が操作部材１５の内端部に突出形成した指先部分に押圧されると、支軸４１を支点に可動把手１３の被係合部３３から離れる方向へ回転する。つまり、係止片４２は係止バネ４３のバネ力と関連して可動把手１３の被係合部３３に係脱自在である。なお、本実施例の係止手段１４は、図７で示すように一つ支軸４１に単数（本実施例）又は設計如何によっては複数個（例えば２個）設けている。
【００４０】
（６）操作部材１５
ホルダー１２には、係止手段１４の係止状態を解除するための操作部材１５が設けられている。この操作部材１５は、ホルダー１２の開口２４或いは引戸３の木口３ａにその操作端（外端）１５ａが露呈するようにホルダー１２に水平状態に組み込まれている。操作部材１５の外形輪郭は、船形状或いは親指状である。
【００４１】
前述したように、船首に相当する、或いは指先部分に相当するその内端部１５ｂには、係止片４２の中央部の壁面に突き当たる突起部分となっている。突起状の内端部１５ｂの上部は、前述したように、水平隔壁２９の端面と当接可能である。
【００４２】
ところで、操作部材１５には水平案内長孔４５が形成され、該水平案内長孔４５には、前板２１寄りのケース部分２５の下部に横設したカイド棒４６が入り込んでいる。この第１実施例のガイド棒は、前板２１と平行である。
【００４３】
（７）安全用ロッド５２を含む係合スライダー５１
さらに、本発明の主たる目的を達成するために、ホルダー１２内には、上下方向に摺動自在に設けられ、かつ、可動把手１３の第１係合部分（指先状の係合部分）３６と係脱すると共に、戸枠１，１ａの横枠１ｃの安全用案内部１０と係脱する安全用ロッド５２を備えた係合スライダー５１が配設されている。
【００４４】
本実施例の縦長状係合スライダー５１は、図２、図３等で示すように、ホルダー１２の側壁（後壁）２５ｃの内壁面とホルダー１２内に設けた補強用リブ２７を形成する縦方向隔壁２７ａとの間に上下動自在に設けられている。
【００４５】
しかして、係合スライダー５１の上部には、ホルダー１２の上壁２５ｃを介して挿入された所定長さの安全用ロッド５２の下端部（内端部）５２ａが適宜に連結されている。一方、係合スライダー５１の下部には、断面横向き凹所状、或いは湾状の被係合部５３が形成されている。この湾状被係合部５３に可動把手１３の指先状係合部３６が係脱可能である。
【００４６】
さらに、係合スライダー５１の連結部分の上部と被係合部分の下部の間（中間部分）には、安全用バネ５４を収納するバネ収納部５５が形成されている。前記バネ収納部５５に収納された安全用バネ５４は、本実施例ではコイルバネであり、その下端部はホルダー１２内に設けたバネ端支持部５６に支持され、一方、上端部は係合スライダー５１の内部に設けられたバネ端受け部５７に圧接している。
【００４７】
上記構成に於いて、引戸３の開戸時、操作部材１５を操作すると、係止手段１４の係止片４２の爪部４２ａの係止が解除され、可動把手１３は付勢手段１６のバネ力により支軸を支点に使用姿勢位置まで傾倒回転する。その際、可動把手１３は図３で示すように反時計方向に回転するから、その指先状係合部３６は係合スライダー５１の被係合部５３から離脱する。その余の作動態様については前述したとおりであり、引戸３の可動把手１３が「使用姿勢位置」にある限り、係合スライダー５１及び安全用ロッド５２は上昇位置にある。
【実施例】
【００４８】
図１０で示した横枠の安全用案内部１０は、サッシ型上横枠（或いは上方のかもい）に所要の長さで形成した横溝や長穴彫りの一例である。したがって、安全用案内部１０の構成に関しては、例えば図１１で示すように、サッシ型上横枠又は下横枠に形成した切欠状のカイド長孔１０Ａであっても良い。この場合には、カイド長孔の閉じ側の縁部１０ａが係止部分となる。
【産業上の利用可能性】
【００４９】
本発明は、主に建具や錠前の業界で利用される。
【図面の簡単な説明】
【００５０】
図１乃至図１０は本発明の最良の実施例を示す各説明図。
【図１】本発明の環境図。
【図２】第１実施例の可動把手が「待機姿勢位置」の概略縦断面説明図。
【図３】図２から可動把手が「使用姿勢位置」になった概略縦断面説明図。
【図４】ハンドル装置Ｙの正面図。
【図５】図２の５−５線断面図。
【図６】図２の６−６線断面図。
【図７】図２の７−７線断面図。
【図８】可動把手の斜視図。
【図９】係合スライダーの説明図。
【図１０】引戸が安全用ロッドを介して所定位置に一時停止した状態を示す概略説明図。
【図１１】横枠の安全用案内部の他の例を示す概略説明図。
【符号の説明】
【００５１】
Ｘ…建具、Ｙ…ハンドル装置、1，１ａ…左右の戸枠、１ｃ…横枠、２…内側引戸、３…外側引戸、３ａ…木口、４…戸体、Ａ…矢印、５，６…凹所引手、７…室内、８…室外、９…建具Ｘの開口部、１０，１０Ａ…横枠の安全用案内部、１０ａ…係止面（係止部分）、１２…ホルダー、１３…可動把手、１４…係止手段、１５…操作部材、１５ａ…操作端（外端）、１５ｂ…内端部、１６…付勢手段、１７…把手１３の支軸、１８，１９…ストッパー、２１…前板、２３…把手用開口、２４…操作手段用開口、２５…ケース部分、２５ａ…底壁、２５ｂ…側壁、２５ｃ…上壁、２６…収納部、２７ａ…縦方向の隔壁、２９…水平隔壁、３１…縦断面親指、３２…グリップ部分、３３…可動把手の被係合部、３５…下向き凹所、４１…支軸、４２…係止片、４２ａ…爪部、４３…係止バネ、４４…突起部分、４５…水平案内長孔、４６…案内手段、５１…係合スライダー、５２…安全用ロッド、５３…係合スライダーの被係合部、５４…安全用バネ、５５…バネ収納部、５６…ホルダー側のバネ端支持部、５７…係合スライダー側のバネ端受け部、５２ａ…ロッドの下端部、５２ｂ…ロッドの上端部。
【図１】
2006299691.tif 000003
【図２】
2006299691.tif 000004
【図３】
2006299691.tif 000005
【図４】
2006299691.tif 000006
【図５】
2006299691.tif 000007
【図６】
2006299691.tif 000008
【図７】
2006299691.tif 000009
【図８】
2006299691.tif 000010
【図９】
2006299691.tif 000011
【図１０】
2006299691.tif 000012
【図１１】
2006299691.tif 000013